(57)【要約】【課題】ブラシ片にスリットを形成した場合に二股状に分かれた分片が開いた状態を維持することができると共に、作業工程が複雑とならず、コスト高とならない洗車機、洗車機用洗浄ブラシ及び洗車機用洗浄ブラシのブラシ片を提供する。【解決手段】ブラシ片１０は、スリット１によって二股状の分片２ａ、２ｂに分割されるものである。そして、分片２ａ、２ｂの外側の辺には凹部２２ａ、２２ｂと凸部２１ａ、２１ｂとが形成されている。さらに、スリット１は戻り状の軌跡を有しており、この軌跡によって、分片２ａ、２ｂの各々に突起１ａ、１ｂが形成される。【選択図】      図１
2008126923.tif 000002
【特許請求の範囲】
【請求項１】
洗車機用洗浄ブラシのブラシ片において、該ブラシ片は、少なくとも１箇所に戻り状の軌跡を有するスリットが形成されてあることを特徴とする洗車機用洗浄ブラシのブラシ片。
【請求項２】
ブラシ片の少なくとも一辺の外側に凹凸部が形成されてあることを特徴とする請求項１に記載の洗車機用洗浄ブラシのブラシ片。
【請求項３】
洗車機用洗浄ブラシにおいて、該洗浄ブラシは、請求項１又は２に記載のブラシ片を有するものであることを特徴とする洗車機用洗浄ブラシ。
【請求項４】
請求項３項に記載された洗車機用洗浄ブラシを搭載した洗車機。
【発明の詳細な説明】
【技術分野】
【０００１】
本発明は、車両を洗浄する洗車機と、この洗車機に使用する洗浄ブラシ及び、この洗浄ブラシのブラシ片に関するものである。
【背景技術】
【０００２】
従来の洗車機用洗浄ブラシのブラシ片は直線状のスリットが形成されて二股に分かれているものが知られており、このブラシ片は洗車時に水分を含むことから、二股に分かれた分片同士が重なり易く剥がれ難いために、洗浄むらが生じる原因となっていた。この問題点を解決するために、ブラシ片のスリットの一部に窪み状の押し潰し痕を形成して、二股状に分かれた分片が開いた状態を維持するようにしたものが開発されている（特許文献１〜３）。
【０００３】
【特許文献１】実用新案登録第３０８７１４３号公報
【特許文献２】実用新案登録第３０８９７６０号公報
【特許文献３】実用新案登録第３１２３１１６号公報
【発明の開示】
【発明が解決しようとする課題】
【０００４】
しかしながら、１台の洗車機に使用される洗浄ブラシのブラシ片は大量であり、このブラシ片のすべてに窪み状の押し潰し痕を形成するために作業工程が増えることから、従来の洗浄ブラシと比較した場合にコスト高となるものである。
【０００５】
本発明は上記点に鑑み、ブラシ片にスリットを形成した場合に二股状に分かれた分片が開いた状態を維持することができると共に、作業工程が複雑とならず、コスト高とならない洗車機、洗車機用洗浄ブラシ及び洗車機用洗浄ブラシのブラシ片を提供することを目的とする。
【課題を解決するための手段】
【０００６】
請求項１の発明は、洗車機用洗浄ブラシのブラシ片において、該ブラシ片は、少なくとも１箇所に戻り状の軌跡を有するスリットが形成されてあることに特徴を有する。したがって、ブラシ片の二股状に分かれた分片の両方に突起が形成されることとなり、一方の突起が他方の突起に乗り上げることによって、二股状に開いた状態を維持することができる。また、スリットの形状を変更するだけで済むので、新たに作業工程を増やす必要がなくコスト高とならない。尚、戻り状の軌跡は、少なくともブラシ片の長手方向、幅方向、厚み方向のいずれか一つ以上に形成されてある形態を採用できる。
【０００７】
請求項２の発明は、請求項１の発明において、ブラシ片の少なくとも一辺の外側に凹凸部が形成されてあることに特徴を有する。したがって、分片の一方の突起が他方の突起に乗り上げずに重なった場合でも外側の凹凸部によって、汚れを掻き出すことができることから、洗車時に洗浄ムラが発生するのを防ぐことができる。尚、凹凸部は、分片の断面を構成する各辺のいずれかに形成されてある形態を採用できる。
【０００８】
請求項３の発明は、洗車機用洗浄ブラシにおいて、該洗浄ブラシは、請求項１又は２に記載のブラシ片を有するものであることに特徴を有する。したがって、一方の突起が他方の突起に乗り上げることによって、二股状に開いた状態を維持することができる洗浄ブラシとなる。また、スリットの形状を変更するだけで済むので、新たに作業工程を増やす必要がなくコスト高とならない洗浄ブラシとなる。また、外側の凹凸部によって、汚れを掻き出すことができることから、洗車時に洗浄ムラが発生するのを防ぐことができる。さらに、分片の一方の突起が他方の突起に乗り上げずに重なった場合でも外側の凹凸部によって、汚れを掻き出すことができることから、洗車時に洗浄ムラが発生するのを防ぐことができる洗浄ブラシとなる。
【０００９】
請求項４の発明は、請求項３項に記載された洗車機用洗浄ブラシを搭載した洗車機に特徴を有する。したがって、洗車時に洗浄ムラが発生するのを防ぐことができると共に、コスト高とならない洗車機となる。
【発明の効果】
【００１０】
請求項１及び２の発明では、洗浄ムラを防ぐことができると共に、コスト高とならない洗車機用洗浄ブラシのブラシ片とすることができる。また、請求項３及び４の発明では、請求項１及び２の発明の効果を奏することができる洗車機用洗浄ブラシ及び洗車機とすることができる。
【発明を実施するための最良の形態】
【００１１】
次に、本発明の実施形態を図面に基づいて説明する。図１は本発明の第１実施形態のブラシ片を示す平面図である。図１（ａ）に示すようにブラシ片１０は、スリット１によって二股状の分片２ａ、２ｂに分割されるものである。そして、分片２ａ、２ｂの外側の辺には凹部２２ａ、２２ｂと凸部２１ａ、２１ｂとが形成されている。さらに、スリット１は戻り状の軌跡を有しており、この軌跡によって、分片２ａ、２ｂの各々に突起１ａ、１ｂが形成される。尚、穴３はスリット裂け防止の機能を有するものである。このブラシ片１０を有する洗車機用洗浄ブラシが洗車機に搭載されると、回転軸の回転によって、図１（ｂ）に示すように分片２ａ、２ｂが開くこととなる。そして、ブラシ片１０が水分を含んだ状態となっても突起１ｂに突起１ａが乗り上げた状態となっているので、分片２ａと２ｂは重なることなく開いた状態が維持されるのである。図１（ｃ）に示すように、突起１ｂに突起１ａが乗り上げない状態となる場合も、まれに想定される。この場合には、水分を含んだ分片２ａと分片２ｂとが重なることとなる。しかしながら、上述したように、分片２ａ、２ｂの外側の辺には凹部２２ａ、２２ｂと凸部２１ａ、２１ｂとが形成されているので、これによって汚れを掻き出すことができることから、洗車時に洗浄ムラが発生するのを防ぐことができるのである。
【００１２】
図２は他のブラシ片の実施形態を示す平面図である。図２（ａ）〜（ｃ）のブラシ片１０ａ、１０ｂ、１０ｃに示すように、スリットの戻り状の軌跡によって形成される突起１ｃ、１ｄ、１ｅ、１ｆ、１ｇ、１ｈは様々な形状をとることができる。また、図２（ｄ）のブラシ片１０ｄに示すように、１個のブラシ片１０ｄに多数の突起１ｉ、１ｊ、１ｋ、１ｌが形成されるようにしてもよい。
【００１３】
図３は更に他のブラシ片の実施形態を示す平面図である。図３（ａ）に示すように、ブラシ片１０ｅの分片２ａ、２ｂの外側の辺の凹部２２ｃ、２２ｄと凸部２１ｃ、２１ｄとによって歯型が形成されるようにしてもよい。また、図３（ｂ）に示すように、ブラシ片１０ｆの分片２ａ、２ｂの外側の片の凹部２２ｅ、２２ｆと凸部２１ｅ、２１ｆとによって山型が形成されるようにしてもよい。
【００１４】
図４はブラシ片の全体を示す平面図である。図４（ａ）に示すブラシ片１０のように上下方向に複数のブラシ片が形成されたものであってもよい。また、図４（ｂ）に示すブラシ片１０ｇのように上下方向に１対のブラシ片が形成されたものであってもよい。尚、この場合には、中央部分で２つ折りにして概コの字状の帯状体に挟み込んでチャンネルブラシを作成することができる。尚、図１〜図４のブラシ片の材質としては、独立気泡或いは連続気泡を有する合成樹脂発泡体、フィルム状樹脂組成物、人工皮革、合成皮革、合成樹脂板、熱可塑性エラストマーシート、織布、不織布、編物等の布帛等を用いることができる。また、前記の材質の貼り合せ材、接合材等も採用できる。
【００１５】
次に、図５は本発明の洗車機用洗浄ブラシを搭載した洗車機の正面図である。洗車機６７は、図５のように、本発明の洗車機用洗浄ブラシ６６が搭載されており、この洗車機用洗浄ブラシ６６は駆動源６８より回転される。ノズル６９からは、被洗浄面に対して洗浄剤及び水が散布され、洗車機用洗浄ブラシ６６により、洗浄され、洗浄後は洗車機６７の乾燥手段である乾燥機９０により被洗浄面が乾燥される。
【００１６】
洗車機６７は、被洗浄面に傷を付けること無く、高い洗浄性を有すると共に、洗浄時の接触音を極力低減、或いは抑制でき、腰の強いブラシ片を有する洗車機用洗浄ブラシ６６が搭載されているので、被洗浄面に対して傷を付着させること無く、毛腰を強く当接させることができる。その為、洗車機６７は、洗車機用洗浄ブラシ６６を低速回転に設定すると共に、洗浄時間を短時間に設定した場合においても、被洗浄面に傷が付着すること無く、且つ洗浄残りの無い高い洗浄性が付与される。また、洗車機用洗浄ブラシ６６の回転を、低速回転から高速回転等に急変させた場合においても、前記と同様の作用が洗車機６７に付与される。その為、被洗浄面である車体に傷を付けることが無いと共に、洗浄時の接触音を極力低減、或いは抑制できる非常に高い洗浄性が発揮できる洗車機６７を提供することができる。
【００１７】
尚、本発明の趣旨を逸脱しない範囲において、種々の実施形態をとることができることは言うまでもない。
【産業上の利用可能性】
【００１８】
本発明の洗車機用洗浄ブラシのブラシ片、洗車機用洗浄ブラシ及び洗車機は主に、自動車或いは車両の外面の被洗浄面に付着した汚れ等を洗浄する為の洗車機、及び洗車機に搭載される洗車機用洗浄ブラシ及びそのブラシ片として使用する。
【図面の簡単な説明】
【００１９】
【図１】本発明の第１実施形態のブラシ片を示す平面図
【図２】他のブラシ片の実施形態を示す平面図
【図３】更に他のブラシ片の実施形態を示す平面図
【図４】ブラシ片の全体を示す平面図
【図５】本発明の洗車機用洗浄ブラシを搭載した洗車機の正面図
【符号の説明】
【００２０】
１  スリット
２ａ、２ｂ  分片
３  穴
１０  ブラシ片
６７  洗車機  
【図１】
2008126923.tif 000003
【図２】
2008126923.tif 000004
【図３】
2008126923.tif 000005
【図４】
2008126923.tif 000006
【図５】
2008126923.tif 000007